(57)【要約】本発明によれば、一つ以上の人物イメージ（Ｉ１）が含まれた写真（１０）が収容されるための空間部（１１１）が内側に設けられたケース（１１０）と；前記ケース（１１０）の内側に配置されて、前記写真（１０）が重なる形態で上部に安着され、前記写真（１０）の上面を通じて入力される使用者のタッチ動作を感知してタッチ信号を生成する複数のタッチセル（１２１）からなるタッチパネル（１２０）と；該タッチパネル（１２０）の全体タッチ領域内で前記人物イメージ（Ｉ１）の形態とマッチングされるように設定された音源出力タッチ領域（Ｒ１）の情報及び前記音源出力タッチ領域（Ｒ１）別にマッチングされた音源データの音源設定情報を含む音源出力ソースデータと、前記音源データが記憶されるメモリー部（１３０）と、前記メモリー部（１３０）に記憶された音源出力ソースデータを判読し、前記タッチ動作を感知したタッチセル（１２１）の位置座標を基準に前記音源出力タッチ領域（Ｒ１）内に含まれたタッチセル（１２１）からタッチ信号が受信されると、前記音源設定情報に従って該音源出力タッチ領域（Ｒ１）とマッチングされる音源データが出力されるようにする音源出力制御信号を出力する制御回路部（１４０）と；前記制御回路部（１４０）の制御信号に従って音源データを出力するスピーカー部（１６０）と；を備えている。【選択図】図２
2016513986.tif 000002
【特許請求の範囲】
【請求項１】
一つ以上の人物イメージ（Ｉ１）が含まれた写真（１０）が収容されるための空間部（１１１）が内側に設けられたケース（１１０）と；
前記ケース（１１０）の内側に配置されて、前記写真（１０）が重なる形態で上部に安着され、前記写真（１０）の上面を通じて入力される使用者のタッチ動作を感知してタッチ信号を生成する複数のタッチセル（１２１）からなるタッチパネル（１２０）と；
前記タッチパネル（１２０）の全体タッチ領域内で前記人物イメージ（Ｉ１）の形態とマッチングされるように設定された音源出力タッチ領域（Ｒ１）の情報及び前記音源出力タッチ領域（Ｒ１）別にマッチングされた音源データの音源設定情報を含む音源出力ソースデータと、前記音源データが記憶されるメモリー部（１３０）と；
前記メモリー部（１３０）に記憶された音源出力ソースデータを判読し、前記タッチ動作を感知したタッチセル（１２１）の位置座標を基準に前記音源出力タッチ領域（Ｒ１）内に含まれたタッチセル（１２１）からタッチ信号が受信されると、前記音源設定情報に従って該当する音源出力タッチ領域（Ｒ１）とマッチングされる音源データが出力されるようにする音源出力制御信号を出力する制御回路部（１４０）と；
前記制御回路部（１４０）の制御信号に従って音源データを出力するスピーカー部（１６０）と；
を含む音源出力機能を備えた写真額縁。
【請求項２】
前記写真（１０）には一つ以上の制御ボタンイメージ（Ｉ２）が含まれ、前記メモリー部（１３０）は、前記タッチパネル（１２０）の全体タッチ領域内で前記制御ボタンイメージ（Ｉ２）の形態とマッチングされるように設定された制御信号出力タッチ領域（Ｒ２）の情報及び前記制御信号出力タッチ領域（Ｒ２）別にマッチングされた制御信号の制御設定情報を含む制御信号実行ソースデータと、前記制御信号がさらに記憶され、前記制御回路部（１４０）は、前記タッチ動作を感知したタッチセル（１２１）の位置座標を基準に前記制御信号出力タッチ領域（Ｒ２）内に含まれたタッチセル（１２１）からタッチ信号が受信されると、前記制御設定情報に従って該制御信号出力タッチ領域（Ｒ２）とマッチングされる制御信号の内容による機能を実行させるようにしたことを特徴とする請求項１に記載の音源出力機能を備えた写真額縁。
【請求項３】
前記写真額縁は、前記タッチパネル（１２０）の上部に安着された写真（１０）の上面をカバーするように前記写真（１０）と重なる形態で上部に安着され、一つ以上のアイコンイメージ（Ｉ３）が形成された透明または半透明材質のスキンシート部（４０）をさらに含み、
前記メモリー部（１３０）は、前記タッチパネル（１２０）の全体タッチ領域内で前記アイコンイメージ（Ｉ３）の形態とマッチングされるように設定された音源出力タッチ領域（Ｒ３）の情報及び前記音源出力タッチ領域（Ｒ３）別にマッチングされた音源データの音源設定情報を含む音源出力ソースデータと、前記音源データがさらに記憶され、
前記制御回路部（１４０）は、前記タッチ動作を感知したタッチセル（１２１）の位置座標を基準に前記音源出力タッチ領域（Ｒ３）内に含まれたタッチセル（１２１）からタッチ信号が受信されると、前記音源設定情報に従って該当する音源出力タッチ領域（Ｒ３）とマッチングされる音源データが出力されるようにする音源出力制御信号を出力することを特徴とする請求項１に記載の音源出力機能を備えた写真額縁。
【請求項４】
請求項１〜３の何れか一項に記載の写真額縁（１００）に入力されるための音源出力ソースデータを生成するプログラムを記録した記憶媒体において、
一つ以上の人物イメージ（Ｉ１）が含まれた写真（１０）のイメージデータを読み出してインターフェース装置（２０）の画面上でタッチパネル（１２０）の設定されたタッチ領域範囲内に前記写真（１０）のイメージを配置するイメージ配置段階（Ｓ２１０）と；
前記インターフェース装置（２０）の使用者の入力信号に従って前記写真（１０）のイメージが配置されたタッチパネル（１２０）のタッチ領域内でタッチセル（１２１）の位置座標を基準に前記人物イメージ（Ｉ１）の形態とマッチングされる音源出力タッチ領域（Ｒ１）を設定する音源出力タッチ領域設定段階（Ｓ２２０）と；
前記使用者の入力信号に従って既記憶された音源データの中で前記音源出力タッチ領域（Ｒ１）別にマッチングされる音源データを設定する出力音源設定段階（Ｓ２３０）と；
前記音源出力タッチ領域設定段階（Ｓ２２０）及び出力音源設定段階（Ｓ２３０）を通じて設定された各設定情報を記憶して前記音源出力ソースデータを生成する音源出力ソースデータ生成段階（Ｓ２４０）と；
をコンピューターに実行させるためのプログラムを記録した記憶媒体。
【発明の詳細な説明】
【技術分野】
【０００１】
本発明は音源出力機能を備えた写真額縁、及びこの写真額縁に入力されるための音源出力ソースデータを生成するプログラムを記録した記憶媒体に関するもので、より詳しくは、額縁に収容された写真の人物イメージをタッチすれば、各人物別にマッチングされて記憶された音源データが自動に出力される音源出力機能を備えた写真額縁、及び上記音源出力機能が具現されるように上記写真額縁に入力されるための音源出力ソースデータを生成するプログラムを記録した記憶媒体に関するものである。
【背景技術】
【０００２】
通常、記念日や特定場所を訪問するなどのイベントを長い間記憶するために、カメラで現場の様子を撮影し、撮影された映像イメージを写真に印画して額縁に入れていつでも容易に閲覧することができるようにしている。しかし、従来の写真額縁の場合には、映像イメージを視覚的にのみ閲覧することができて、見る人の記憶に頼って当時の現場を思い出すことができるため現場感を感じるには不足なところがあった。このような問題点を解決するために、最近では動画などを支援するデジタル額縁が発売されているが、動画を出力するための高価の液晶パネルを備えなければならないため、製造費用が増加し、イメージを持続的にディスプレーするためには液晶パネルの駆動電源が持続的に消耗されるなどメンテナンス費用が増大するという問題点があった。
【発明の概要】
【発明が解決しようとする課題】
【０００３】
本発明は上述した問題点を解決するために創出されたもので、本発明の目的は、額縁に収容された写真の人物イメージをタッチすれば、各人物別にマッチングされて記憶された音源データが自動的に出力される音源出力機能を備えた写真額縁、及び上記音源出力機能が具現されるように上記写真額縁に入力されるための音源出力ソースデータを生成するプログラムを記録した記憶媒体を提供することにある。
【課題を解決するための手段】
【０００４】
本発明の特徴によれば、一つ以上の人物イメージＩ１が含まれた写真１０が収容されるための空間部１１１が内側に設けられたケース１１０と；上記ケース１１０の内側に配置されて、上記写真１０が重なる形態で上部に安着され、上記写真１０の上面を通じて入力される使用者のタッチ動作を感知してタッチ信号を生成する複数のタッチセル１２１からなるタッチパネル１２０と；上記タッチパネル１２０の全体タッチ領域内で上記人物イメージＩ１の形態とマッチングされて設定された音源出力タッチ領域Ｒ１の情報及び上記音源出力タッチ領域Ｒ１別にマッチングされた音源データの音源設定情報を含む音源出力ソースデータと、上記音源データが記憶されるメモリー部１３０と；上記メモリー部１３０に記憶された音源出力ソースデータを判読し、上記タッチ動作を感知したタッチセル１２１の位置座標を基準に上記音源出力タッチ領域Ｒ１内に含まれたタッチセル１２１からタッチ信号が受信されると、上記音源設定情報に従って該音源出力タッチ領域Ｒ１とマッチングされる音源データが出力されるようにする音源出力制御信号を出力する制御回路部１４０と；上記制御回路部１４０の制御信号に従って音源データを出力するスピーカー部１６０と；を含む音源出力機能を備えた写真額縁が提供される。
【０００５】
本発明の他の特徴によれば、上記写真１０には一つ以上の制御ボタンイメージＩ２が含まれるが、上記メモリー部１３０は、上記タッチパネル１２０の全体タッチ領域内で上記制御ボタンイメージＩ２の形態とマッチングされるように設定された制御信号出力タッチ領域Ｒ２の情報及び上記制御信号出力タッチ領域Ｒ２別にマッチングされた制御信号の制御設定情報を含む制御信号実行ソースデータと、上記制御信号がさらに記憶され、上記制御回路部１４０は、上記タッチ動作を感知したタッチセル１２１の位置座標を基準に上記制御信号出力タッチ領域Ｒ２内に含まれたタッチセル１２１からタッチ信号が受信されると、上記制御設定情報に従って該制御信号出力タッチ領域Ｒ２とマッチングされる制御信号の内容による機能を実行させることを特徴とする音源出力機能を備えた写真額縁が提供される。
【０００６】
本発明のまた他の特徴によれば、上記写真額縁は、上記タッチパネル１２０の上部に安着された写真１０の上面をカバーするように上記写真１０と重なる形態で上部に安着され、一つ以上のアイコンイメージＩ３が形成された透明または半透明材質のスキンシート部４０をさらに含み、上記メモリー部１３０は、上記タッチパネル１２０の全体タッチ領域内で上記アイコンイメージＩ３の形態とマッチングされるように設定された音源出力タッチ領域Ｒ３の情報及び上記音源出力タッチ領域Ｒ３別にマッチングされた音源データの音源設定情報を含む音源出力ソースデータと、上記音源データがさらに記憶され、上記制御回路部１４０は、上記タッチ動作を感知したタッチセル１２１の位置座標を基準に上記音源出力タッチ領域Ｒ３内に含まれたタッチセル１２１からタッチ信号が受信されると、上記音源設定情報に従って該音源出力タッチ領域Ｒ３とマッチングされる音源データが出力されるようにする音源出力制御信号を出力することを特徴とする音源出力機能を備えた写真額縁が提供される。
【０００７】
本発明のまた他の特徴によれば、写真額縁１００に入力されるための音源出力ソースデータを生成するプログラムを記録した記憶媒体において、一つ以上の人物イメージＩ１が含まれた写真１０のイメージデータを読み出してインターフェース装置２０の画面上でタッチパネル１２０の設定されたタッチ領域範囲内に上記写真１０のイメージを配置するイメージ配置段階Ｓ２１０と；上記インターフェース装置２０の使用者の入力信号に従って上記写真１０のイメージが配置されたタッチパネル１２０のタッチ領域内でタッチセル１２１の位置座標を基準に上記人物イメージＩ１の形態とマッチングされる音源出力タッチ領域Ｒ１を設定する音源出力タッチ領域設定段階Ｓ２２０と；上記使用者の入力信号に従って既記憶された音源データの中で上記音源出力タッチ領域Ｒ１別にマッチングされる音源データを設定する出力音源設定段階Ｓ２３０と；上記音源出力タッチ領域設定段階Ｓ２２０及び出力音源設定段階Ｓ２３０を通じて設定された各設定情報を記憶して上記音源出力ソースデータを生成する音源出力ソースデータ生成段階Ｓ２４０と；をコンピューターに実行させるためのプログラムを記録した記憶媒体が提供される。
【発明の效果】
【０００８】
以上のように、本発明によれば、第一、普段には一般の写真額縁のように印画されたイメージのみを閲覧し、使用者が写真の人物イメージをタッチすれば選択された人物の肉声や好きな音楽など該人物に関る音源データが自動的に出力されるので、視覚的效果だけではなく聴覚的效果を同時に具現することができ、当時の臨場感をより生々しく思い出すことができる。また、高価の液晶パネルなしにイメージを表出することができるので、製造費用及びメンテナンス費用を節減することができる效果がある。
【０００９】
第二、写真に含まれたたくさんの人物別に該当する人物に係わる音源データがマッチングされて記憶及び出力されるので、使用者が望む人物の音源を選択的に聞くことができて、使用者の便宜が増大される。
【００１０】
第三、周辺の音波を集めて電気的信号形態の音源データを生成するマイク部が備えられて、これを通じて使用者の肉声や音楽などを録音することができ、生成された音源データを特定人物の音源データにマッチングさせて記憶することができるので、音源データと該当人物のイメージを相互マッチングさせる過程がより容易になる。
【００１１】
第四、写真額縁に入力されるための音源出力ソースデータを生成するプログラムをスマートフォン、ノート・パンコン及びＰＣなどのインターフェース装置に設置して駆動させて、上記写真額縁のインターフェース部を通じて上記インターフェース装置を連動させて画面上で写真に含まれた各人物別に音源出力タッチ領域を設定し、所望の音源データがマッチングされて記憶されるように設定することができるので、写真額縁に収容される写真が変わっても該当写真の人物に従って音源出力機能の設定を容易に変更することができて、使用者の便宜が極大化される。
【図面の簡単な説明】
【００１２】
【図１】本発明の好ましい実施例による写真額縁の外部構成を示す斜視図である。
【図２】本発明の好ましい実施例による写真額縁の詳細構成を示す分離斜視図である。
【図３】本発明の好ましい実施例による写真額縁の動作原理を説明するためのブロック図である。
【図４】本発明の好ましい実施例による写真額縁とインターフェース装置が相互連結されて、音源出力ソースデータが写真額縁に入力及び記憶される動作原理を説明するための概略図である。
【図５】本発明の好ましい実施例による写真額縁の動作原理を説明するための正面図である。
【図６】本発明の好ましい実施例による音源出力ソースデータを生成するための各段階を示す順序図である。
【図７】本発明の好ましい実施例による音源出力ソースデータを生成するプログラムがインターフェース装置のディスプレー手段に表示される画面窓を示す画面例示図である。
【図８】本発明の好ましい実施例によるイメージ配置段階を通じてタッチ領域窓に写真のイメージが配置される状態を示す画面例示図である。
【図９】本発明の好ましい実施例による写真額縁に入力されるための音源出力ソースデータを生成するプログラムを利用して上記音源出力ソースデータを生成する各段階を説明するための画面例示図である。
【図１０】本発明の好ましい実施例による写真額縁に入力されるための音源出力ソースデータを生成するプログラムを利用して上記音源出力ソースデータを生成する各段階を説明するための画面例示図である。
【図１１】本発明の好ましい実施例による写真額縁に入力されるための音源出力ソースデータを生成するプログラムを利用して上記音源出力ソースデータを生成する各段階を説明するための画面例示図である。
【図１２】本発明の好ましい実施例による写真額縁に入力されるための音源出力ソースデータを生成するプログラムを利用して上記音源出力ソースデータを生成する各段階を説明するための画面例示図である。
【図１３】本発明の好ましい実施例による写真額縁に入力されるための音源出力ソースデータを生成するプログラムを利用して上記音源出力ソースデータを生成する各段階を説明するための画面例示図である。
【図１４】本発明の好ましい実施例による写真額縁に入力されるための音源出力ソースデータを生成するプログラムを利用して上記音源出力ソースデータを生成する各段階を説明するための画面例示図である。
【発明を実施するための形態】
【００１３】
上述した本発明の目的、特徴及び長所は次の詳細な説明を通じてより明らかになる。以下、本発明の好ましい実施例を添付した図面に基づいて説明すれば次の通りである。
まず、図１〜図５を参照して本発明の好ましい実施例による写真額縁１００の構成及び機能を説明する。本発明の好ましい実施例による写真額縁１００は額縁に収容された写真１０の人物イメージＩ１をタッチすれば、各人物別にマッチングされて記憶された音源データが自動的に出力される音源出力機能を備えた写真額縁１００であって、図１〜図３に示すように、ケース１１０、タッチパネル１２０、メモリー部１３０、制御回路部１４０、インターフェース部１５０及びスピーカー部１６０を含む。
【００１４】
上記ケース１１０は外部形状を成し、一つ以上の人物イメージＩ１が含まれた写真１０が収容されるための空間部１１１が内側に設けられたカバー部材で、タッチパネル１２０の背面を支持してタッチパネル１２０を通じるタッチ動作が行われることができるようにする支持板１１３と、収容された写真１０のイメージが外部に表出されるように中央が開口された空間部１１１が形成され、タッチパネル１２０の上面に安着された写真１０が固定されるように枠が支持板１１３の回りに締結される前面カバー１１２とを含む。また、図１に示すように、上記ケース１１０の背面には写真額縁１００が立てられた状態で固定されることができるように支持する支持部１１４が締結されることができる。
【００１５】
ここで、上記写真１０は印画紙に一つ以上の人物イメージＩ１、制御ボタンイメージＩ２及びアイコンイメージＩ３が印画された印刷物で、写真館などで印画される印画紙やカラープリンターなどの印刷手段を通じて印刷した印刷紙であることができ、写真１０の上面を通じてタッチパネル１２０の上部をタッチする時、タッチパネル１２０のタッチセル１２１がタッチ反応することができる厚さに形成される。
【００１６】
上記タッチパネル１２０は写真１０の上面を通じて入力される使用者のタッチ動作を感知してタッチ信号を生成する複数のタッチセル１２１からなる入力手段で、上記ケース１１０の内側に配置されて、写真１０が上部に重なる形態で安着され、上記制御回路部１４０と信号連結されて感知されたタッチ信号を制御回路部１４０に送信する。
【００１７】
ここで、本発明の好ましい実施例による写真額縁１００は、上記のように、写真１０が上面に安着されるタッチパネル１２０を通じて、使用者のタッチ動作を感知しながらも安着された写真１０を通じて所望のイメージを外部に表出することができて、従来のデジタル額縁の液晶画面のような映像表出手段が不必要になることから写真額縁１００を製造するための製造費用やイメージを表出するためのメンテナンス費用を節減することができる。
【００１８】
また、上記使用者のタッチ動作を感知するにおいて、減圧式及び抵抗式などのように写真１０の上部から下部方向に加圧されて押さえられた位置を感知する加圧方式または使用者の手などの微細人体電流などの定電圧を感知する定電方式を適用して上記タッチ動作を感知することができる。この時、上記定電方式の場合には、上記写真１０の上部面またはスキンシート部４０の上部面に印加される定電圧が写真１０を通じてタッチパネル１２０に伝達されることができるように、上記写真１０や後述されるスキンシート部４０は上記定電圧をタッチパネル１２０に伝達することができる電気伝達物質を含むことが好ましい。また、上記加圧方式及び定電方式以外に超音波方式、赤外線方式及び光学方式など本発明が属する技術分野でタッチ動作を感知するためのタッチパネルの感知方式であれば何れの方式でも適用することができる。
【００１９】
上記メモリー部１３０は、本発明の好ましい実施例による写真額縁１００を駆動させることができるプログラム及び各種データが記憶されるデータベースで、上記タッチパネル１２０に設けられた全体タッチ領域内で上記人物イメージＩ１の形態とマッチングされて設定された音源出力タッチ領域Ｒ１の情報及び上記音源出力タッチ領域Ｒ１別にマッチングされた音源データの音源設定情報を含む音源出力ソースデータと、上記音源データとが記憶される。また、上記メモリー部１３０にはタッチパネル１２０を構成する複数のタッチセル１２１が有するそれぞれの位置座標情報が記憶されて、上記制御回路部１４０は記憶された位置座標情報を利用して感知信号を生成したタッチセル１２１の位置座標を判断することができる。
【００２０】
ここで、上記音源出力タッチ領域Ｒ１の情報はタッチ動作を感知するタッチセル１２１が位置した領域に従って互いに異なる音源データが出力されるように使用者に従って任意に分けられて指定されたタッチ領域に対する設定情報で、図５に示すように、各人物イメージＩ１の外形とマッチングされて設定されることができる。この時、図面には上記音源出力タッチ領域Ｒ１が人物イメージＩ１の外形を概括的に区分するための四角形態のブロック領域であることで例示されたが、これに限定されることなく、各人物イメージＩ１の外部形象と同じく折曲された楕円形に形成されることができることは勿論である。そして、上記音源設定情報はそれぞれ設定された音源出力タッチ領域Ｒ１に含まれたタッチセル１２１からタッチ信号が生成されると、既設定された特定音源データがスピーカー部１６０を通じて出力されるように各音源出力タッチ領域Ｒ１と一つ以上の音源データが相互マッチングされた設定情報を意味する。
【００２１】
上記制御回路部１４０は、タッチパネル１２０を構成する複数のタッチセル１２１が有するそれぞれの位置座標情報を利用して上記タッチパネル１２０から生成されたタッチ信号に従って既設定された音源データがスピーカー部１６０を通じて自動的に出力されるように制御するコントロール回路で、上記インターフェース部１５０を通じて入力されるか記憶された音源出力ソースデータを判読し、図３に示すように、上記タッチ動作を感知したタッチセル１２１の位置座標を基準に上記音源出力タッチ領域Ｒ１内に含まれたタッチセル１２１からタッチ信号が受信されると、上記音源設定情報に従って該当音源出力タッチ領域Ｒ１とマッチングされて記憶された音源データがスピーカー部１６０を通じて出力されることができるように音声出力制御信号を出力する。
【００２２】
従って、図５に示すように、写真額縁１００には３人の人物イメージＩ１が含まれた写真１０が写真額縁１００に収容され、上記メモリー部１３０には各人物別に分けられる３つの音源出力タッチ領域Ｒ１が設定され、使用者が写真１０上で設定された音源出力タッチ領域Ｒ１の中の何れの音源出力タッチ領域Ｒ１内で何れの位置をタッチ（加圧）すれば、タッチされた位置に配置されたタッチパネル１２０のタッチセル１２１がタッチ動作を感知してタッチ信号を生成し、これを制御回路部１４０に送信する。
【００２３】
また、制御回路部１４０はメモリー部１３０に記憶された各タッチセル１２１別に位置座標情報を利用してタッチ信号を生成したタッチセル１２１の位置座標を通じてタッチパネル１２０の全体タッチ領域内でタッチ動作が行われたタッチ位置を判断し、判断されたタッチ位置、即ち該タッチセル１２１の位置座標が既設定された音源出力タッチ領域Ｒ１に含まれる場合、該当音源出力タッチ領域Ｒ１とマッチングされるように設定された音源データをメモリー部１３０から読み出して、スピーカー部１６０を通じて出力されるように制御することによって、該当人物イメージＩ１に対する音源を外部に出力することができる。
【００２４】
上記インターフェース部１５０は、インターフェース装置２０と信号連結されることができるように備えられた電気的コネクタ手段で、上記インターフェース装置２０から送信される上記音源出力ソースデータと音源データを受けてメモリー部１３０に伝達する機能を提供し、上記メモリー部１３０は伝達された音源出力ソースデータと音源データを記憶する。
【００２５】
ここで、上記インターフェース装置２０は使用者が運用し、上記写真額縁１００に入力されるための音源出力ソースデータを生成するプログラムがインストール及び駆動されるクライアント端末や上記クライアント端末から生成された音源出力ソースデータが記憶された外部メモリーを全部含む包括的意味の電子通信装置で、図４に示すように、上記クライアント端末にはスマートフォン２０ａ、ＰＣ２０ｂ及びノート・パンコン２０ｃなどのように駆動画面を表示するためのディスプレー手段２１と使用者の入力信号を出力することができる入力手段２２を備える端末が含まれることができ、上記外部メモリーにはＵＳＢメモリ、ＳＤカード、ＤＶＤ、ＣＤなどのデータ記憶媒体２０ｄが含まれることができる。したがって、上記インターフェース部１５０は信号連結されるインターフェース装置２０に従ってUSBポート、５ピン、８ピン、２０ピンなどのコネクター、ＤＶＤ  ＲＯＭ及びＣＤ  ＲＯＭなど多様な形態で具備されることができる。
【００２６】
上記マイク部１７０は、使用者が音声の音波を合わせてその振動による電気的信号形態の音源データを生成する入力手段で、上記マイク部１７０で生成された音源データはメモリー部１３０に記憶される。また、上記制御回路部１４０はマイク部１７０を通じて生成された音源データと使用者に従って設定された音源出力タッチ領域Ｒ１がマッチングされるように設定して、上記音源出力タッチ領域Ｒ１内に含まれたタッチセル１２１からタッチ信号が受信されると録音された音源データが出力されるように制御することができる。
【００２７】
このようなマイク部１７０の構成を通じて使用者の肉声や音楽などを上記インターフェース装置２０を利用しなくてもリアルタイムで録音することができ、生成された音源データを特定人物の音源データにマッチングさせて記憶することができるので、音源データと該当人物のイメージを相互マッチングさせる過程がより容易になる。
【００２８】
一方、上記ケース１１０には写真額縁１００の音源データの出力を制御するために使用者が入力信号を発生させる入力ボタンを備えることができるが、上記入力ボタンをケース１１０に配置しないでタッチパネル１２０のタッチ領域内に使用者が任意に制御ボタン領域を形成して写真額縁１００の各種操作を制御するように備えることもできる。
【００２９】
このために、上記写真１０には一つ以上の制御ボタンイメージＩ２が含まれ、上記メモリー部１３０はタッチパネル１２０の全体タッチ領域内で上記制御ボタンイメージＩ２の形態とマッチングされるように設定された制御信号出力タッチ領域Ｒ２の情報と上記制御信号出力タッチ領域Ｒ２別にマッチングされた制御信号の制御設定情報を含む制御信号実行ソースデータと、上記制御信号がさらに記憶される。
【００３０】
また、上記制御回路部１４０は使用者のタッチ動作を感知したタッチセル１２１の位置座標を基準に上記制御信号出力タッチ領域Ｒ２内に含まれたタッチセル１２１からタッチ信号が受信されると、上記制御設定情報に従って該当する制御信号出力タッチ領域Ｒ２とマッチングされる制御信号の内容による機能を実行させるようにプログラム化される。
【００３１】
より具体的に説明すれば、人物イメージＩ１のタッチによる音源データが出力された後、再び同じ音源データを出力しようとする場合または一つの人物イメージＩ１に複数の音源データがマッチングされるように設定されて、複数の音源データの中で所望の音源データを選択的に聞こうとする場合には、これを制御するための制御信号の生成が必要であるが、使用者は写真１０  上に人物イメージＩ１とともに所望の形態の制御ボタンイメージＩ２を別途の編集プログラムまたは本発明の好ましい実施例によるプログラムを利用して配置することができる。
【００３２】
また、上記制御ボタンイメージＩ２が配置されたタッチパネル１２０のタッチ領域、即ち制御信号出力タッチ領域Ｒ２に所望の機能を付与することができる。例えば図１に示すように、現在出力される音源データの前に配置された音源データを出力させるフロント制御ボタンイメージ、現在出力される音源データの実行または停止のためのプレーストップ制御ボタンイメージ、現在出力される音源データの後に配置された音源データを出力させるバック制御ボタンイメージなど多様な制御機能をマッチングさせて設定することができる。
【００３３】
従って、何れの人物イメージＩ１をタッチして該当人物イメージＩ１とマッチングされる音源データが出力された後、上記制御ボタンイメージをタッチすることで音源データの出力状態を使用者が任意に容易に操作することができる。
【００３４】
このように、既存のプッシュボタンのような入力ボタンをケース１１０上に別途に備えないで、タッチパネル１２０上に同じ機能を具現することができる領域を指定することができるので、写真額縁１００の見掛けがより綺麗になり、上記入力ボタンを製造するための製造費用を節減することができる。また、タッチパネル１２０の全体タッチ領域内で使用者が任意に制御ボタンイメージＩ２を配置して制御信号出力タッチ領域Ｒ２を指定することができるので、使用者別で独創的な形態の写真額縁１００を具現することができるという效果を具現することができる。
【００３５】
一方、上記写真額縁１００は上記人物イメージＩ１とは別途に使用者所望の音源データを任意に出力することができるように備えることができる。このために、上記写真１０には一つ以上のアイコンイメージＩ３が含まれ、上記メモリー部１３０は上記タッチパネル１２０の全体タッチ領域内で上記アイコンイメージＩ３の形態とマッチングされるように設定された音源出力タッチ領域Ｒ３の情報及び上記音源出力タッチ領域Ｒ３別にマッチングされた音源データの音源設定情報を含む音源出力ソースデータと上記音源データがさらに記憶され、上記制御回路部１４０は上記タッチ動作を感知したタッチセル１２１の位置座標を基準に上記音源出力タッチ領域Ｒ３内に含まれたタッチセル１２１からタッチ信号が受信されると、上記音源設定情報に従って該当する音源出力タッチ領域Ｒ３とマッチングされる音源データが出力されるようにする音源出力制御信号を出力するようにプログラミングされる。
【００３６】
より具体的に説明すれば、使用者は写真１０上に人物イメージＩ１と一緒に所望の形態のアイコンイメージＩ３を別途の編集プログラムまたは本発明の好ましい実施例によるプログラムを利用して配置することができ、上記アイコンイメージＩ３が配置されたタッチパネル１２０のタッチ領域に音源出力タッチ領域Ｒ３をマッチングさせて設定することができる。
【００３７】
従って、図１に示すように、使用者がメッセージ形態のアイコンイメージＩ３をタッチすれば、上記人物イメージＩ１をタッチした時とは別途に音声メッセージ形態で予め記憶されたメッセージ音声を出力させることができ、ケーキ形態のアイコンイメージＩ３をタッチすれば、誕生日ソングや音楽が出力されるなどアイコンイメージＩ３とマッチングされる所定の音源データを任意に出力させることができる。
【００３８】
このように、人物イメージＩ１による音源データとは別途に使用者所望のアイコンイメージＩ３及び音源データを写真上の所望の位置に配置して出力することができるので、多様な音源データを提供することができて、写真額縁１００の活用度及び使用者の便宜を極大化することができる。
【００３９】
一方、写真額縁１００は所望の人物イメージＩ１及びアイコンイメージＩ３にマッチングされる音源データを出力させたり制御ボタンイメージＩ２にマッチングされる制御信号で機能を実行させる場合、写真１０の上部面を使用者の指やタッチペンなどを利用してタッチまたは加圧しなければならないが、写真１０の表面が外部に露出された状態であるため、埃や水分などの異物に容易に汚染されるという問題が発生することがある。
【００４０】
そこで、本発明の好ましい実施例による写真額縁１００はこのような問題点を解決するために、図２に示すように、タッチパネル１２０の上部に安着された写真１０の上面をカバーするように写真１０と重なる形態で上部に安着されるスキンシート部４０をさらに含んで備えられることができる。ここで、上記スキンシート部４０は写真１０のイメージを外部で見ることができるように透明または半透明材質で構成される。
【００４１】
ここで、図面には上記制御ボタンイメージＩ２及びアイコンイメージＩ３が写真１０上で人物イメージＩ１と一緒に配置されることを例示したが、他の実施例として、上記制御ボタンイメージＩ２またはアイコンイメージＩ３を写真１０に一緒に印刷しないで上記スキンシート部４０に印刷する方式で配置させることができる。
【００４２】
次に、図６〜図１４を参照して本発明の好ましい実施例による写真額縁１００に入力されるための音源出力ソースデータを生成するプログラムを記録した記憶媒体を説明する。
【００４３】
図６〜図１４には本発明の好ましい実施例による音源出力ソースデータを生成するプログラムを記録した記憶媒体を通じてインターフェース装置２０に上記プログラムが設置及び駆動されて、インターフェース装置２０のディスプレー手段２１及び入力手段２２を通じて所望の音源出力ソースデータを生成する段階が分けられて図示されている。
【００４４】
図６に示すように、本発明の好ましい実施例による音源出力ソースデータを生成するプログラムを記録した記憶媒体は、イメージ配置段階Ｓ２１０、音源出力タッチ領域設定段階Ｓ２２０、出力音源設定段階Ｓ２３０、音源出力ソースデータ生成段階Ｓ２４０、制御信号出力タッチ領域設定段階Ｓ２５０、制御設定段階Ｓ２６０及び制御信号実行ソースデータ生成段階Ｓ２７０を含んで、コンピューター（インターフェース装置２０に実行させるためのプログラムが記憶され、記憶されたプログラムは上記インターフェース装置２０に記憶されて駆動され、該インターフェース装置２０別に画面窓が表示されるディスプレー手段２１にプログラム画面が表示されて使用者はインターフェース装置２０を通じて上記写真額縁１００に入力されるための音源出力ソースデータ、制御信号出力ソースデータ及び音源データを生成及び記憶することができる。
【００４５】
ここで、インターフェース装置２０に設置されたプログラムを駆動させると、インターフェース装置２０のディスプレー手段２１には、図７に示すように、画面窓が表示されるように動作する。上記ディスプレー手段２１にはタッチパネル１２０の全体タッチ領域に対応する位置座標情報が反映され、上記写真１０のイメージデータが読み取られて配置されるタッチ領域窓３１と、配置された写真１０のイメージ内で使用者が所望の人物イメージＩ１とマッチングされて、所定の音源出力タッチ領域Ｒ１、Ｒ３及び制御信号出力タッチ領域Ｒ２を設定するための項目を表示する個別タッチ領域設定窓３２、及び設定された音源出力タッチ領域Ｒ１、Ｒ３と制御信号出力タッチ領域Ｒ２別にマッチングされる音源データと制御信号を設定するための項目を表示する個別信号設定窓３３、及び音源出力タッチ領域設定段階Ｓ２２０、出力音源設定段階Ｓ２３０、制御信号出力タッチ領域設定段階Ｓ２５０及び制御設定段階Ｓ２６０を通じて設定された各設定事項を記憶して最終的な音源出力ソースデータ及び制御信号実行ソースデータを生成するようにする記憶ブロック３４を含んで表示する。
【００４６】
まず、上記イメージ配置段階Ｓ２１０は、一つ以上の人物イメージＩ１が含まれた写真１０のイメージデータを読み取り、インターフェース装置２０のディスプレー手段２１上でタッチパネル１２０の設定されたタッチ領域範囲、即ち上記タッチ領域窓３１内に上記写真１０のイメージを配置する段階で、図８に示すように、使用者がインターフェース装置２０のタッチ画面、キーボードまたはマウスなどの入力手段２２を利用してタッチ領域窓３１を選択（クリック）すれば、インターフェース装置２０に記憶された各種データで所望の写真１０のイメージデータを選択及び設定することができる検索窓をポップアップし、上記検索窓を通じて何れの写真１０のイメージデータを設定すれば上記タッチ領域窓３１の大きさに対応して該当する写真１０のイメージがマッチングされて配置される。
【００４７】
上記音源出力タッチ領域設定段階Ｓ２２０は、上記インターフェース装置２０の使用者の入力信号に従って上記写真１０のイメージが配置されたタッチパネル１２０のタッチ領域内でタッチセル１２１の位置座標を基準に上記人物イメージＩ１の形態とマッチングされる音源出力タッチ領域Ｒ１を設定する段階で、図９に示すように、使用者がインターフェース装置２０の入力手段２２を利用して上記タッチ領域窓３１内に配置された写真１０のイメージ上で各人物イメージＩ１別にドラッグして所望の設定領域を選択すればタッチ領域窓３１には各人物イメージＩ１別に設定された音源出力タッチ領域Ｒ１が表示され、上記タッチ領域窓３１の大きさに対応するように該当する写真１０のイメージがマッチングされて配置されるので、上記個別タッチ領域設定窓３２には設定された音源出力タッチ領域Ｒ１の位置座標情報が表示されることができる。
【００４８】
また、図１３に示すように、使用者がインターフェース装置２０の入力手段２１を利用して上記タッチ領域窓３１内に配置された写真１０のイメージ上で各アイコンイメージＩ３別にドラッグして所望の設定領域を選択すれば、上記タッチ領域窓３１には各アイコンイメージＩ３別に設定された音源出力タッチ領域Ｒ３が表示され、上記タッチ領域窓３１の大きさに対応するように該当の写真１０のイメージがマッチングされて配置されるので、上記個別タッチ領域設定窓３２には設定された音源出力タッチ領域Ｒ３の位置座標情報が表示されることができる。
【００４９】
上記出力音源設定段階Ｓ２３０は、上記使用者入力信号に従って記憶された音源データの中で上記音源出力タッチ領域Ｒ１別にマッチングされる音源データを設定する段階で、図１０に示すように、使用者がインターフェース装置２０を利用して個別信号設定窓３３を選択すれば、上記インターフェース装置２０に記憶された各種データから所望の音源データを選択及び設定することができる検索窓をポップアップし、上記検索窓を通じて所望の何れの音源データを既設定された音源出力タッチ領域Ｒ１とマッチングさせて設定すれば設定された内容が上記個別信号設定窓３３に表示される。
【００５０】
また、図１４に示すように、使用者がインターフェース装置２０を利用して個別信号設定窓３３を選択すれば、上記インターフェース装置２０に記憶された各種データで所望の音源データを選択及び設定することができる検索窓をポップアップし、上記検索窓を通じて何れの音源データを既設定された音源出力タッチ領域Ｒ３とマッチングさせて設定すれば、設定された内容が上記個別信号設定窓３３に表示される。
【００５１】
上記音源出力ソースデータ生成段階Ｓ２４０は、音源出力タッチ領域設定段階Ｓ２２０及び出力音源設定段階Ｓ２３０を通じて設定された各設定情報を記憶して上記音源出力ソースデータを生成する段階で、使用者はタッチ領域窓３１に表示された音源出力タッチ領域Ｒ１、Ｒ３の設定された内容と個別信号設定窓３３に表示された音源データ設定内容を確認した後上記ディスプレー手段２１に含まれた記憶ブロック３４を選択すれば、各設定された項目が記憶されながら人物イメージＩ１の形態とマッチングされて設定された音源出力タッチ領域Ｒ１の情報及び上記音源出力タッチ領域Ｒ１別にマッチングされた音源データの音源設定情報を含む音源出力ソースデータが生成され、同時に各アイコンイメージＩ３の形態とマッチングされて設定された音源出力タッチ領域Ｒ３の情報及び上記音源出力タッチ領域Ｒ３別にマッチングされた音源データの音源設定情報を含む音源出力ソースデータが生成される。
【００５２】
生成された音源出力ソースデータはインターフェース装置２０に記憶され、使用者は上記インターフェース装置２０と写真額縁１００をインターフェース部１５０を通じて相互信号連結させた状態で生成された音源出力ソースデータを写真額縁１００のメモリー部１３０に入力及び記憶することができる。
【００５３】
また、上記インターフェース装置２０がスマートフォン２０ａ、ＰＣ２０ｂまたはノート・パンコン２０ｃなどのクライアント端末の場合、外部メモリー２０ｄを上記クライアント端末に連結させて生成された音源出力ソースデータを外部メモリー２０ｄに移動させて記憶することができ、一方、外部メモリー２０ｄを上記写真額縁１００のインターフェース部１５０に連結させて記憶された音源出力ソースデータをメモリー部１３０に直接入力及び記憶することもできる。
【００５４】
上記制御信号出力タッチ領域設定段階Ｓ２５０は、上記インターフェース装置２０の使用者入力信号に従って上記写真１０のイメージが配置されたタッチパネル１２０のタッチ領域内でタッチセル１２１の位置座標を基準に上記制御ボタンイメージＩ２の形態とマッチングされる制御信号出力タッチ領域Ｒ２を設定する段階で、図１１に示すように、使用者がインターフェース装置２０の入力手段２２を利用して上記タッチ領域窓３１内に配置された写真１０のイメージ上で各制御ボタンイメージＩ２別にドラッグして所望の設定領域を選択すればタッチ領域窓３１には各制御ボタンイメージＩ２別に設定された制御信号出力タッチ領域Ｒ２が表示され、上記タッチ領域窓３１の大きさに対応するように該当する写真１０のイメージがマッチングされて配置されているので、上記個別タッチ領域設定窓３２には設定された制御信号出力タッチ領域Ｒ２の位置座標情報を表示させることができる。
【００５５】
上記制御設定段階Ｓ２６０は、制御信号出力タッチ領域Ｒ２別にマッチングされる制御信号を設定する段階で、図１２に示すように、使用者がインターフェース装置２０を利用して個別信号設定窓３３を選択すれば上記音源データを選択及び設定することができる検索窓と別途で写真額縁１００に操作することができる機能に対する制御信号を選択及び設定することができる検索窓をポップアップし、上記検索窓を通じて任意の制御信号を既設定された制御信号出力タッチ領域Ｒ２とマッチングさせて設定すれば、設定された内容が上記個別信号設定窓３３に表示される。
【００５６】
上記制御信号実行ソースデータ生成段階Ｓ２７０は、制御信号出力タッチ領域設定段階Ｓ２５０及び制御設定段階Ｓ２６０を通じて設定された各設定情報を記憶して上記制御信号実行ソースデータを生成する段階で、使用者はタッチ領域窓３１及び個別タッチ領域設定窓３２に表示された制御信号出力タッチ領域Ｒ２の設定された内容と、個別信号設定窓３３に表示された制御信号設定内容とを確認した後、上記ディスプレー手段２１に表示された記憶ブロック３４を選択すれば、各設定された項目が記憶されながら制御ボタンイメージＩ２の形態とマッチングされて設定された制御信号出力タッチ領域Ｒ２別にマッチングされた制御信号の制御設定情報を含む制御信号実行ソースデータが生成される。
【００５７】
そして、生成された制御信号実行ソースデータはインターフェース装置２０に記憶され、使用者はインターフェース部１５０を利用してインターフェース装置２０と写真額縁１００を相互信号連結させた状態で生成された制御信号実行ソースデータを写真額縁１００のメモリー部１３０に入力及び記憶することができる。
【００５８】
ここで、上記音源出力ソースデータと制御信号実行ソースデータがそれぞれ分けられて生成されることで説明したが、これに限定されるのではなく、音源出力タッチ領域設定段階Ｓ２２０、出力音源設定段階Ｓ２３０、制御信号出力タッチ領域設定段階Ｓ２５０及び制御設定段階Ｓ２６０を経て音源データと制御信号に対するすべての設定事項を終えた後、上記ディスプレー手段２１に含まれた記憶ブロック３４を選択することで音源出力ソースデータと制御信号実行ソースデータが同時に生成されるように備えられることもできることは勿論である。
【００５９】
上述したような本発明の好ましい実施例による音源出力機能を備えた写真額縁１００、及びこの写真額縁１００に入力されるための音源出力ソースデータを生成するプログラムを記録した記憶媒体を通じて、普段には一般的な写真額縁のように印画されたイメージのみを閲覧し、使用者が写真１０の人物イメージＩ１にタッチすれば該当人物の肉声や好きな音楽などの係わる音源データが自動的に出力されるので、当時の現場感をより生々しく思い出すことができ、高価の液晶パネルがなくてもイメージを閲覧することができるので、製造費用及び維持費用を節減することができるという效果を奏する。
【００６０】
さらに、写真１０に含まれたたくさんの人物別に該当人物に係わる音源データがマッチングされて記憶及び出力されるので、使用者が所望の人物の音源を選択的に聞くことができ、使用者の便宜が極大化される。
【００６１】
また、写真額縁１００に入力されるための音源出力ソースデータを生成するプログラムをスマートフォン２０ａ、ＰＣ２０ｂ及びノート・パンコン２０ｃなどのインターフェース装置２０に設置して駆動させ、上記写真額縁１００のインターフェース部１５０を通じてインターフェース装置２０を連結させて、画面上で写真１０に含まれた各人物別で音源出力タッチ領域Ｒ１を設定し、所望の音源データがマッチングされるように設定することができるので、写真額縁１００に収容される写真１０が変わっても該当写真１０の人物に従って音源出力機能の設定を容易に変更することができ、使用者の便宜が極大化される效果を具現することができる。
【００６２】
以上で説明した本発明は前述した実施例及び添付された図面によって限定されるのではなく、本発明の技術的思想を逸脱しない範囲内で様々な置き換え、変形及び変更が可能であることは本発明が属する技術分野において通常の知識を有する者にとって自明である。
【符号の説明】
【００６３】
Ｉ１        人物イメージ
Ｉ２        制御ボタンイメージ
Ｉ３        アイコンイメージ
１０        写真
２０        インターフェース装置
４０        スキンシート部
１００      写真額縁
１１０      ケース
１１１      空間部
１２０      タッチパネル
１２１      タッチセル
１３０      メモリー部
１４０      制御回路部
１６０      スピーカー部
Ｒ１        音源出力タッチ領域
Ｒ２        制御信号出力タッチ領域
Ｒ３        音源出力タッチ領域
Ｓ２１０    イメージ配置段階
Ｓ２２０    音源出力タッチ領域設定段階
Ｓ２３０    出力音源設定段階
Ｓ２４０    音源出力ソースデータ生成段階
【図１】
2016513986.tif 000003
【図２】
2016513986.tif 000004
【図３】
2016513986.tif 000005
【図４】
2016513986.tif 000006
【図５】
2016513986.tif 000007
【図６】
2016513986.tif 000008
【図７】
2016513986.tif 000009
【図８】
2016513986.tif 000010
【図９】
2016513986.tif 000011
【図１０】
2016513986.tif 000012
【図１１】
2016513986.tif 000013
【図１２】
2016513986.tif 000014
【図１３】
2016513986.tif 000015
【図１４】
2016513986.tif 000016
【国際調査報告】
2016513986.tif 000017
2016513986.tif 000018
2016513986.tif 000019
2016513986.tif 000020